(57)【要約】【課題】電極体等を収容するケース内のデッドスペースを削減すると共に、電極体の移動を抑制することが可能な蓄電装置を提供する。【解決手段】電極体１２と、電極体１２の縁部から突出した複数の正極タブを重ねた正極タブ群１４と、電極体１２との間で電気を授受する正極端子２８と、前記正極タブの重なり方向における正極タブ群１４の一端（正極タブ５２（Ｈ１）に接続され、正極タブ群１４から正極端子２８へと導電させる集電部材５６と、前記正極タブの重なり方向における正極タブ群１４の他端（正極タブ５２（Ｈ２）に接続される絶縁部材２２と、を有する蓄電装置１０であって、正極タブ群１４は、正極タブ群１４の一端側に折り曲げられた折曲部６０と、折曲部６０から電極体１２の厚み方向に延在する延在部６２と、を有し、折曲部６０は、前記正極タブの重なり方向の両端から集電部材５６と絶縁部材２２で挟まれている。【選択図】図３
2019061779.tif 000002
【特許請求の範囲】
【請求項１】
電極体と、
前記電極体の縁部から突出した複数の電極タブを重ねた電極タブ群と、
前記電極体との間で電気を授受する電極端子と、
前記電極タブの重なり方向における前記電極タブ群の一端に接続され、前記電極タブ群から前記電極端子へと導電させる集電部材と、
前記電極タブの重なり方向における前記電極タブ群の他端に接続される絶縁部材と、を有する蓄電装置であって、
前記電極タブ群は、前記電極タブ群の一端側に折り曲げられた折曲部と、前記折曲部から前記電極体の厚み方向に延在する延在部と、を有し、
前記折曲部は、前記電極タブの重なり方向の両端から前記集電部材と前記絶縁部材で挟まれている、蓄電装置。
【請求項２】
前記電極タブ群は、前記電極体の厚み方向において分割された第１電極タブ群と第２電極タブ群とを有し、
前記第１電極タブ群と前記第２電極タブ群は、前記折曲部及び前記延在部を有し、
前記第１電極タブ群の前記折曲部及び前記第２電極タブ群の前記折曲部は、前記第１電極タブ群の前記延在部と前記第２電極タブ群の前記延在部が互いに近づく方向に折り曲げられ、
前記第１電極タブ群の前記折曲部及び前記第２電極タブ群の前記折曲部は、前記電極タブの重なり方向の両端から前記集電部材と前記絶縁部材で挟まれている、請求項１に記載の蓄電装置。
【請求項３】
電極体の縁部から突出した複数の電極タブを重ねて電極タブ群を形成する第１工程と、
前記電極タブの重なり方向における前記電極タブ群の一端に集電部材を接続する第２工程と、
前記集電部材の端部を起点として、前記電極タブ群の一端側に前記電極タブ群を折り曲げて、折曲部及び前記折曲部から前記電極体の厚み方向に延在する延在部を形成する第３工程と、
前記電極タブの重なり方向における前記電極タブ群の他端に絶縁部材を配置して、前記電極タブ群の前記折曲部を、前記電極タブの重なり方向の両端から前記集電部材と前記絶縁部材で挟持する第４工程と、を有する蓄電装置の製造方法。
【発明の詳細な説明】
【技術分野】
【０００１】
本開示は、蓄電装置及び蓄電装置の製造方法に関する。
【背景技術】
【０００２】
ＥＶ（Ｅｌｅｃｔｒｉｃ  Ｖｅｈｉｃｌｅ）やＰＨＶ（Ｐｌｕｇ  ｉｎ  Ｈｙｂｒｉｄ  Ｖｅｈｉｃｌｅ）等の車両には、モータへの供給電力を蓄える蓄電装置として、リチウムイオン二次電池等の二次電池が搭載されている。
【０００３】
例えば、特許文献１には、電極に突出形成されたタブ部を複数重ねた状態で集電端子と電気的に接続する蓄電装置であって、前記タブ部は、前記タブ部の根元から前記タブ部が重なるまでの間の部分である集合部と、前記集合部より先端側で前記タブ部の突出する方向に延びる直進部と、前記直進部より先端側で前記直進部から折り曲げられて形成された折り曲げ部とを有しており、前記集電端子は、第１部材と、前記第１部材と協同して前記タブ部を挟持する第２部材とを備え、前記第１部材及び前記第２部材は、前記折り曲げ部における前記タブの重ね方向において、前記折り曲げ部の両側に設けられるとともに、前記折り曲げ部を挟む挟持面をそれぞれ有し、前記第１部材及び前記第２部材の前記電極に近い方には前記直進部が挿入されるスリットが形成され、複数の前記タブ部のうち最も前記第１部材側に配置された前記タブ部は、前記第１部材の前記挟持面に接合されているとともに、複数の前記タブ部のうち最も前記第２部材側に配置された前記タブ部は、前記第２部材の前記挟持面に接合されている蓄電装置が開示されている。
【先行技術文献】
【特許文献】
【０００４】
【特許文献１】特開２０１３−１９５９６９号公報
【特許文献２】特開２０１４−３２８１４号公報
【特許文献３】特開２００４−２２５３４号公報
【発明の概要】
【発明が解決しようとする課題】
【０００５】
ところで、正極及び負極を含む電極体の縁部から突出した複数の電極タブが重ねられた電極タブ群は、電極体と当該電極体を収容するケース内面との間の空間に配置される。この電極タブ群が配置される空間はデッドスペースとなるため、電極タブ群の配置状態によっては、デッドスペースが大きくなり、電池サイズやエネルギー密度等に影響を与える。そこで、電極タブ群を折り曲げることで、デッドスペースを削減することは可能である。しかし、蓄電装置に振動や衝撃等が加えられた場合、折り曲げた電極タブ群が延びて、電極体が移動して、ケース内面と接触する場合がある。このような場合、電極体を構成する電極（正極や負極）が折れ曲がったり、電極を構成する活物質（正極活物質や負極活物質）が脱落したりして、蓄電装置の性能に影響を与えることになる。
【０００６】
そこで、本開示の目的は、電極体等を収容するケース内のデッドスペースを削減すると共に、電極体の移動を抑制することが可能な蓄電装置および当該蓄電装置の製造方法を提供することである。
【課題を解決するための手段】
【０００７】
本開示の一態様である蓄電装置は、電極体と、前記電極体の縁部から突出した複数の電極タブを重ねた電極タブ群と、前記電極体との間で電気を授受する電極端子と、前記電極タブの重なり方向における前記電極タブ群の一端に接続され、前記電極タブ群から前記電極端子へと導電させる集電部材と、前記電極タブの重なり方向における前記電極タブ群の他端に接続される絶縁部材と、を有する蓄電装置であって、前記電極タブ群は、前記電極タブ群の一端側に折り曲げられた折曲部と、前記折曲部から前記電極体の厚み方向に延在する延在部と、を有し、前記折曲部は、前記電極タブの重なり方向の両端から前記集電部材と前記絶縁部材で挟まれている。
【０００８】
本開示の一態様である蓄電装置の製造方法は、電極体の縁部から突出した複数の電極タブを重ねて電極タブ群を形成する第１工程と、前記電極タブの重なり方向における前記電極タブ群の一端に集電部材を接続する第２工程と、前記集電部材の端部を起点として、前記電極タブ群の一端側に前記電極タブ群を折り曲げて、折曲部及び前記折曲部から前記電極体の厚み方向に延在する延在部を形成する第３工程と、前記電極タブの重なり方向における前記電極タブ群の他端に絶縁部材を配置して、前記電極タブ群の前記折曲部を、前記電極タブの重なり方向の両端から前記集電部材と前記絶縁部材で挟持する第４工程と、を有する。
【発明の効果】
【０００９】
本開示の一態様によれば、電極体等を収容するケース内のデッドスペースを削減すると共に、電極体の移動を抑制することが可能となる。
【図面の簡単な説明】
【００１０】
【図１】本実施形態の一例である二次電池の模式断面図である。
【図２】電極体の構成要素を示す分解模式斜視図である。
【図３】図１のＡ−Ａ線における二次電池の拡大模式断面図である。
【図４】蓄電装置の製造方法の一例を説明する図である。
【図５】実施形態の変形例を説明するための二次電池の模式断面図である。
【図６】実施形態の変形例を説明するための二次電池の拡大模式断面図である。
【発明を実施するための形態】
【００１１】
以下、実施形態の一例について詳細に説明する。実施形態の説明で参照する図面は、模式的に記載されたものであり、図面に描画された構成要素の寸法比率などは、現物と異なる場合がある。
【００１２】
図１は、本実施形態の一例である二次電池の模式断面図である。図１に示すように、蓄電装置としての二次電池１０は、電極体１２、電極体１２の縁部から突出した正極タブ群１４及び負極タブ群１６、正極集電部材１８及び負極集電部材２０、正極絶縁部材２２及び負極絶縁部材２４、ケース２６、正極端子２８及び負極端子３０、を備える。本実施形態の二次電池１０はリチウムイオン電池であり、外郭が角型をなす角型電池である。
【００１３】
ケース２６は、四角箱状のケース本体部３２と矩形平板状の封口体３４とから構成される。封口体３４の外側面には、所定の間隔を空けて正極端子２８及び負極端子３０が設置されている。また、封口体３４と正極端子２８との間及び封口体３４と負極端子３０との間には絶縁板３６が設置されていることが望ましい。
【００１４】
図２は、電極体の構成要素を示す分解模式斜視図である。図２に示すように、電極体１２は、シート状の正極３８と、シート状の負極４０と、セパレータ４２とを備える。正極３８は、正極金属箔４４（例えば、アルミニウム箔）と、その両面に正極活物質を含む正極活物質層４６とを有する。負極４０は、負極金属箔４８（例えば、銅箔）と、その両面に負極活物質を含む負極活物質層５０とを有する。電極体１２は、正極３８と負極４０との間に、これらを絶縁するセパレータ４２を介在させた積層構造であり、正極３８と、負極４０と、セパレータ４２とからなる組が複数組設けられている。
【００１５】
正極３８は、正極金属箔４４に正極活物質が塗布されていない領域からなる正極未塗工部を有している。そして、正極３８の縁部の一部には、縁部から突出した形状の正極未塗工部からなる正極タブ５２が形成されている。負極４０は、負極金属箔４８に負極活物質が塗布されていない領域からなる負極未塗工部を有している。そして、負極４０の縁部の一部には、縁部から突出した形状の負極未塗工部からなる負極タブ５４が形成されている。なお、正極タブ５２及び負極タブ５４は、正極３８及び負極４０が積層された状態で、正極タブ５２と負極タブ５４とが重ならない位置にそれぞれ設けられている。
【００１６】
正極３８は、それぞれの正極タブ５２が電極体１２の積層方向に沿って列状に配置されるように積層されている。そして、正極タブ５２を電極体１２の積層方向の一端から他端までの範囲内で重ねることで正極タブ群１４が形成される。また、負極４０は、それぞれの負極タブ５４が電極体１２の積層方向に沿って列状に配置されるように積層されている。そして、負極タブ５４を電極体１２の積層方向の一端から他端までの範囲内で重ねることで負極タブ群１６が形成される。
【００１７】
図１に示すように、正極集電部材１８は、板状部５６と、板状部５６上に形成されたリベット部５８とを備える。正極集電部材１８の板状部５６は、正極タブ群１４に接続されている。正極タブ群１４との接続構造については後で詳述する。正極集電部材１８のリベット部５８は、封口体３４及び絶縁板３６を介して、正極端子２８に接続されている。また、図での説明や省略するが、正極集電部材１８のリベット部５８の外周には、ケース２６から絶縁するためのリング状の絶縁部材が取り付けられている。このように、正極集電部材１８は、一方で、正極タブ群１４と接続し、他方で正極端子２８と接続しており、これにより、正極タブ群１４から正極端子２８へと導電させ、さらには、電極体１２と正極端子２８とを電気的に接続させている。負極集電部材２０も同様に、板状部５６と、板状部５６上に形成されたリベット部５８とを備える。負極集電部材２０の板状部５６は、負極タブ群１６に接続されている。負極集電部材２０のリベット部５８は、封口体３４及び絶縁板３６を介して、負極端子３０に接続されている。また、図での説明や省略するが、負極集電部材２０のリベット部５８の外周には、ケース２６から絶縁するためのリング状の絶縁部材が取り付けられている。このように、負極集電部材２０は、一方で、負極タブ群１６と接続し、他方で負極端子３０と接続しており、これにより、負極タブ群１６から負極端子３０へと導電させ、さらには、電極体１２と負極端子３０とを電気的に接続させている。
【００１８】
正極絶縁部材２２は、正極タブ群１４に接続されている。正極タブ群１４との接続構造については後で後述するが、正極絶縁部材２２は、正極タブ群１４とケース２６内面との間に介在し、これにより、ケース２６と正極タブ５２との電気的絶縁が確保される。なお、正極絶縁部材２２は、封口体３４の内面等のケース２６の内面に固定されていることが望ましい。負極絶縁部材２４は、負極タブ群１６に接続されている。そして、負極絶縁部材２４は、負極タブ群１６とケース２６内面との間に介在し、これにより、ケース２６と負極タブ５４との電気的絶縁が確保される。なお、負極絶縁部材２４は、封口体３４の内面等のケース２６の内面に固定されていることが望ましい。
【００１９】
以下に、正極タブ群１４と正極集電部材１８及び正極絶縁部材の接合構造について、図３を用いて説明する。なお、負極タブ群１６と負極集電部材２０及び負極絶縁部材の接合構造は、正極３８側と同様であるのでその説明を省略する。
【００２０】
図３は、図１のＡ−Ａ線における二次電池の拡大模式断面図である。図３に示すように、正極タブ群１４は、電極体１２の積層方向の一端から他端までの範囲内にある全ての正極タブ５２が重ねられたものであり、具体的には、電極体１２の積層方向の一端の正極タブ５２(Ｈ１)が、他端の正極タブ５２（Ｈ２）に近接するよう重ねられている。電極体１２の積層方向は電極体１２の厚み方向となる。
【００２１】
図３に示すように、正極タブ群１４は、折曲部６０と、折曲部６０から電極体１２の積層方向(厚み方向)に延在する延在部６２とを有する。そして、正極タブ５２の重なり方向における正極タブ群１４の一端側（すなわち、正極タブ５２（Ｈ１））には、正極集電部材１８の板状部５６が接続されている。具体的には、正極集電部材１８の板状部５６と正極タブ群１４の延在部６２とが、抵抗溶接や超音波溶接等により電気的に接続されている。そして、正極集電部材１８の板状部５６は、正極タブ群１４の延在部６２及び折曲部６０の内側に配置されており、板状部５６の一端は、折曲部６０の内側面に当接している。なお、正極タブ群１４と接触している面と反対側の板状部５６の面は、電極体１２と向かい合う面となる。
【００２２】
また、図３に示すように、正極タブ５２の重なり方向における正極タブ群１４の他端（すなわち、正極タブ５２（Ｈ２））には、正極絶縁部材２２が接続されている。なお、正極タブ群１４と接触している面と反対側の正極絶縁部材２２の面は、ケース２６の内面と向かい合う面となる。以下に、正極絶縁部材２２の具体的な構成例を説明する。
【００２３】
図３に示す正極絶縁部材２２は、正極タブ群１４の延在部６２を覆う、矩形平板状の本体部６４と、本体部６４の両端に設けられる断面Ｌ字状の側壁部（６６ａ，６６ｂ）とを有する。正極絶縁部材２２の側壁部６６ａは、正極タブ群１４の折曲部６０の外側面を覆うように配置されている。
【００２４】
正極タブ群１４の折曲部６０の内側面に当接している正極集電部材１８の板状部５６の一端と、正極タブ群１４の折曲部６０の外側面に配置されている正極絶縁部材２２の側壁部６６ａとで、正極タブ群１４の折曲部６０をタブの重なり方向の両端から挟持している。ここで、正極集電部材１８の板状部５６の他端が、正極絶縁部材２２の側壁部６６ｂに当接し、板状部５６が、正極絶縁部材２２の両端の側壁部（６６ａ，６６ｂ）との間で固定されるため、板状部５６の一端と正極絶縁部材２２の側壁部６６ａは一定の力で、折曲部６０を挟持している。なお、正極絶縁部材２２と正極タブ群１４とは、接着剤等で固定することが望ましいが、単に物理的に接触しているだけでもよい。
【００２５】
図４は、蓄電装置の製造方法の一例を説明する図である。図４（Ａ）に示すように、正極、セパレータ、負極からなる組を複数積層した電極体１２の厚み方向（積層方向）において、一端側に位置する正極タブ５２(Ｈ１)を、他端側に位置する正極タブ５２(Ｈ２)に近接するように集める。これにより、電極体１２の作製段階で、独立していた各正極タブ５２が重ねられて、正極タブ群１４となる（第１工程）。次に、図４（Ｂ）に示すように、正極タブ５２の重なり方向における正極タブ群１４の一端側、すなわち正極タブ５２（Ｈ１）に、正極集電部材１８の板状部５６を当接させ、超音波溶接機のホーン６８とアンビル７０で、正極タブ群１４および板状部５６を挟み、所定の圧力を掛けて溶接する。これにより、正極タブ群１４と正極集電部材１８とを電気的に接続する（第２工程）。溶接は、超音波溶接機に限定されず、抵抗溶接機等でもよい。次に、図４（Ｃ）に示すように、板状部５６の一端を起点として、正極タブ５２の重なり方向における正極タブ群１４の一端側に、正極タブ群１４を折り曲げ、折曲部６０及び折曲部６０から電極体１２の厚み方向（積層方向）に延在する延在部６２を形成する（第３工程）。すなわち、正極タブ群１４を折り曲げた後の正極集電部材１８の板状部５６は、折曲部６０及び延在部６２の内側に配置される。次に、図４（Ｄ）に示すように、正極タブ５２の重なり方向における正極タブ群１４の他端側、すなわち正極タブ５２（Ｈ２）に、正極絶縁部材２２を配置して、折曲部６０を、正極タブ５２の重なり方向の両端から正極絶縁部材２２と正極集電部材１８の板状部５６とで挟持する（第４工程）。なお、負極側の説明は省略するが、負極側も同様に、第１工程〜第４工程を行い、負極タブ群１６に負極集電部材２０及び負極絶縁部材２４を接続する。
【００２６】
また、正極集電部材１８のリベット部５８を、封口体３４に設置された正極端子２８に接続し、負極集電部材２０のリベット部５８を、封口体３４に設置された負極端子３０に接続する。そして、電極体１２、正極タブ群１４、負極タブ群１６、正極絶縁部材２２、負極絶縁部材２４、正極集電部材１８、負極集電部材２０等をケース本体部３２内に収容して、ケース本体部３２と封口体３４とを密閉する。そして、封口体３４に設けた注液口（不図示）から電解液を注入する。以上のようにして、蓄電装置を製造する。
【００２７】
以上説明した、本実施形態によれば以下の効果を得ることが可能である。以下に述べる電極は正極及び負極の両方を指しており、例えば、電極タブ群と言えば、正極タブ群及び負極タブ群を指している。
【００２８】
本実施形態の蓄電装置において、電極タブ群が、電極タブの重なり方向における電極タブ群の一端側に折り曲げた折曲部を有することで、電極タブ群が配置されるケース内のデッドスペースを削減することが可能となる。また、本実施形態においては、電極タブを折り曲げる方向である電極タブ群の一端側に集電部材を配置し、電極タブ群の他端側に絶縁部材を配置している。すなわち、集電部材を電極タブ群の延在部及び折曲部の内側に、絶縁部材を電極タブ群の延在部及び折曲部の外側に配置しているため、折曲部の折り曲げ角度を鋭角にすることができ、電極タブ群が配置されるケース内のデッドスペースをより削減することが可能となる。これにより、蓄電装置のサイズを小さくしたり、或いは蓄電装置のエネルギー密度を向上させたりすることが可能となる。
【００２９】
また、電極タブ群の折曲部を、タブの重なり方向の両端から集電部材と絶縁部材で挟んでいるため、蓄電装置に衝撃や振動が加えられた場合でも、電極タブ群の延びが抑制され、電極体の移動が抑えられる。これにより、電極体がケース内面と接触することが抑えられるため、電極体を構成する電極の折れ曲り、電極を構成する活物質の脱落による電池性能の低下が抑制される。
【００３０】
また、本実施形態の蓄電装置の製造方法によれば、電極タブの重なり方向における電極タブ群の一端に集電部材を接続し、当該集電部材の一端を起点として、電極タブ群を折り曲げるため、折曲部の折り曲げ位置を安定させることができる。これにより、ケース内に電極体を収容する際に、電極体がケースに引っ掛かることなく、スムーズに収容することが可能となる。
【００３１】
図５は、実施形態の変形例を説明するための二次電池の模式断面図である。図５の二次電池１１において、図１の二次電池１０と同様の構成については同一の符号を付している。電極体の縁部から突出する正極タブ群及び負極タブ群は、図１に示す二次電池１０のように、電極体１２の上端の縁部から突出する正極タブ群１４及び負極タブ群１６に制限されず、図５に示す二次電池１１のように、電極体１２の側面の縁部から突出する正極タブ群１４及び負極タブ群１６でもよい。
【００３２】
図６は、実施形態の変形例を説明するための二次電池の拡大模式断面図である。図６は図３と同じ方向から見た断面図である。図６の二次電池１３において、図１の二次電池１０と同様の構成については同一の符号を付している。図６に示すように、正極タブ群１４は、電極体１２の積層方向（厚み方向）において分割された第１正極タブ群１４ａと第２正極タブ群１４ｂとを有する。第１正極タブ群１４ａは、一方の最も外側の正極タブ５２(Ｈ３)が、他方の最も外側の正極タブ５２(Ｈ２)に近接するように重ねられている。第２正極タブ群１４ｂは、一方の最も外側の正極タブ５２（Ｈ４）が、他方の最も外側にある正極タブ５２（Ｈ１）に近接するように重ねられている。
【００３３】
第１正極タブ群１４ａは、折曲部６０ａと、折曲部６０ａから電極体１２の積層方向（厚み方向）に延在する延在部６２ａとを有する。また、第２正極タブ群１４ｂは、折曲部６０ｂと、折曲部６０ｂから電極体１２の積層方向（厚み方向）に延在する延在部６２ｂとを有する。第１正極タブ群１４ａの折曲部６０ａ及び第２正極タブ群１４ｂの折曲部６０ｂは、第１正極タブ群１４ａの延在部６２ａと第２正極タブ群１４ｂの延在部６２ｂが互いに近づく方向に折り曲げられている。すなわち、第１正極タブ群１４ａの折曲部６０ａ及び第２正極タブ群１４ｂの折曲部６０ｂは、電極体１２の積層方向（厚み方向）の中央に向かって折り曲げられている。そして、正極集電部材１８の板状部５６は、第１正極タブ群１４ａおよび第２正極タブ群１４ｂの延在部（６２ａ，６２ｂ）及び折曲部（６０ａ，６０ｂ）の内側に配置されている。正極集電部材１８の板状部５６は、抵抗溶接や超音波溶接により、第１正極タブ群１４ａ及び第２正極タブ群１４ｂの延在部（６０ａ，６０ｂ）等と接続されている。板状部５６の一端は、第１正極タブ群１４ａの折曲部６０ａの内側面に当接している。また、板状部５６の他端は、第２正極タブ群１４ｂの折曲部６０ｂの内側面に当接している。
【００３４】
正極絶縁部材２２は、第１正極タブ群１４ａ及び第２正極タブ群１４ｂの延在部（６２ａ，６２ｂ）及び折曲部（６０ａ，６０ｂ）の外側に配置されている。具体的には、正極絶縁部材２２の本体部６４は、第１正極タブ群１４ａ及び第２正極タブ群１４ｂの延在部（６２ａ，６２ｂ）を覆うように配置されている。また、正極絶縁部材２２の一方の側壁部６６ａは、第１正極タブ群１４ａの折曲部６０ａの外側面を覆うように配置されており、正極絶縁部材２２の他方の側壁部６６ｂは、第２正極タブ群１４ｂの折曲部６０ｂの外側面を覆うように配置されている。そして、正極絶縁部材２２の側壁部６６ａと正極集電部材１８の板状部５６の一端とで、第１正極タブ群１４ａの折曲部６０ａをタブの重なり方向の両端から挟持している。また、正極絶縁部材２２の側壁部６６ｂと正極集電部材１８の板状部５６の他端とで、第２正極タブ群１４ｂの折曲部６０ｂをタブの重なり方向の両端から挟持している。負極側も同様であり、その説明を省略する。
【００３５】
このように、電極タブ群を電極体の厚み方向において第１電極タブ群及び第２電極タブ群に分割し、第１電極タブ群の折曲部及び第２電極タブ群の折曲部を、第１電極タブ群の延在部と第２電極タブ群の延在部が互いに近づく方向に折り曲げることによって、電極タブ群が配置されるケース内のデッドスペースをさらに削減することが可能となる。
【００３６】
実施形態は、上記に限定されるものではなく、本開示の効果を損なわない範囲において変形することが可能である。
【００３７】
例えば、蓄電装置は、リチウムイオン電池に限定されるものではなく、ニッケル水素電池等の他の種類の電池でもよいし、電気二重層キャパシタ等のようなキャパシタやその他の蓄電素子でもよい。また、例えば、電極体は積層型に限定されるものではなく、巻回型の電極体であってもよい。
【００３８】
正極タブ及び負極タブは、正極未塗工部及び負極未塗工部からなるものに限定されるものではなく、例えば、それぞれの電極に溶接した金属箔を正極タブ及び負極タブとしてもよい。
【００３９】
正極絶縁部材及び正極集電部材の形状は、図３に示した形状以外の形状でもよい。正極絶縁部材は、正極集電部材と共に、正極タブ群の折曲部を正極タブの重なり方向の両端から挟持することができるものであればどのような形状であってもよい。正極集電部材は、正極絶縁部材と共に、正極タブ群の折曲部を正極タブの重なり方向の両端から挟持することができる形状であり、且つ正極タブ群から正極端子へと導電させることができるものであればどのような形状であってもよい。負極絶縁部材及び負極集電部材も同様である。
【００４０】
正極タブ群と正極集電部材との接続は、超音波溶接や抵抗溶接に限定されるものではなく、例えば、レーザー溶接等でもよい。正極集電部材は、正極タブ群の一端側であればどこに溶接されてもよいが、延在部に溶接されることが望ましく、特に、厚みが３ｍｍ以上７ｍｍ以下の範囲の延在部に溶接されることが好ましい。負極タブ群と負極集電部材との接続も同様である。
【００４１】
正極タブ群の延在部は、電極体の厚み方向に平行に延在していてもよいし、電極体の厚み方向に対して傾斜するように延在していてもよい。電極体の厚み方向に対する延在部の傾斜角度は例えば、０°〜２０°以下が好ましい。負極タブ群の延在部も同様である。
【００４２】
正極タブ群を厚み方向に分割した第１正極群及び第２正極タブ群は、電極体の積層方向（厚み方向）の一端から他端までの範囲内に位置する正極タブの全枚数のうち、均等の枚数の正極タブをそれぞれ有していてもよいし、異なる枚数の正極タブをそれぞれ有していてもよい。負極タブ群も同様である。
【符号の説明】
【００４３】
１０，１１，１３  二次電池、１２  電極体、１４  正極タブ群、１４ａ  第１正極タブ群、１４ｂ  第２正極タブ群、１６  負極タブ群、１８  正極集電部材、２０  負極集電部材、２２  正極絶縁部材、２４  負極絶縁部材、２６  ケース、２８  正極端子、３０  負極端子、３２  ケース本体部、３４  封口体、３６  絶縁板、３８  正極、４０  負極、４２  セパレータ、４４  正極金属箔、４６  正極活物質層、４８  負極金属箔、５０  負極活物質層、５２  正極タブ、５４  負極タブ、５６  板状部、５８  リベット部、６０，６０ａ，６０ｂ  折曲部、６２，６２ａ，６２ｂ  延在部、６４  本体部、６６ａ，６６ｂ  側壁部、６８  ホーン、７０  アンビル。
【図１】
2019061779.tif 000003
【図２】
2019061779.tif 000004
【図３】
2019061779.tif 000005
【図４】
2019061779.tif 000006
【図５】
2019061779.tif 000007
【図６】
2019061779.tif 000008